(57)【要約】【課題】  水着入れと砂遊び用具入れとの兼用ができ、水着入れとして使用した場合に財布、サングラス等の小間物が水分を含んだ水着等により濡れたり、浸みたりすることがなく、また砂遊び用具入れとして使用した場合に前記用具入れを数回、振ることにより、前記用具に付着した砂を１ヶ所に収納でき、容易に排出できるようにする。【解決手段】  外袋１と、外袋１より高さの低い第１の内袋２と第２の内袋３とからなる。第１の内袋２を防水布で形成し、第２の内袋３を網で形成する。外袋１の上端開口部１０を内側に折り返して折返帯１１を形成する。外袋１の開口外周部１２と折返帯１１との間に第１および第２の内袋２、３の各上端開口部２０、３０をそれぞれ着脱自在に挟み込んで第１および第２の内袋２、３のいずれか一方を吊下げる。第１および第２の内袋２、３の各底面２１、３１と外袋１の底面１３との間に収納室１４を開閉自在に形成する。【選択図】        図１
0003104240.tif 000002
【実用新案登録請求の範囲】
【請求項１】
外袋と、前記外袋より高さの低い第１の内袋と第２の内袋とからなり、前記第１の内袋を防水布で形成し、前記第２の内袋を網で形成し、前記外袋の上端開口部を内側に折り返して折返帯を形成し、前記外袋の開口外周部と前記折返帯との間に前記第１および第２の内袋の各上端開口部をそれぞれ着脱自在に挟み込んで前記第１および第２の内袋のいずれか一方を吊下げ、前記第１および第２の内袋の各底面と前記外袋の底面との間に収納室を開閉自在に形成することを特徴とする水着入れ。
【考案の詳細な説明】
【技術分野】
【０００１】
本考案は所望により水着入れ若しくは砂遊び用具入れとして使用できる袋状体に関する。
【背景技術】
【０００２】
従来から水着や砂遊び用具を入れて持ち運ぶ個別的な手段として防水性の手提げや巾着が知られている。
【考案の開示】
【考案が解決しようとする課題】
【０００３】
前記従来例が水着入れの場合、濡れた水着の水分が一緒に入れた財布・手帳・サングラス等の小間物に付着したり、浸みたりして不都合である。
【０００４】
また前記従来例が砂遊び用具入れの場合、砂遊び後、用具に付着した砂により用具入れ内全体が汚れ、かつ汚れを落しにくく、不都合である。
【０００５】
しかも従来例は水着用および砂遊び用具用として２種類の手提げ等の袋状体を必要とし、高価につき不都合である。
【０００６】
本考案は前記のすべての不都合を一挙に解決することを課題とする。
【課題を解決するための手段】
【０００７】
外袋と、前記外袋より高さの低い第１の内袋と第２の内袋とからなり、前記第１の内袋を防水布で形成し、前記第２の内袋を網で形成し、前記外袋の上端開口部を内側に折り返して折返帯を形成し、前記外袋の開口外周部と前記折返帯片との間に前記第１および第２の内袋の各上端開口部をそれぞれ着脱自在に挟み込んで前記第１および第２の内袋のいずれか一方を吊下げ、前記第１および第２の内袋の各底面と前記外袋の底面との間に収納室を開閉自在に形成することを特徴とする。
【考案の効果】
【０００８】
本考案は外袋に第１の内袋を取付けることにより水着入れとして使用でき、
第２の内袋を取付けることにより砂遊び用具入れとして使用でき、１種類の袋状体で足り、安価に製造でき、しかも容易、迅速かつ確実に第１および第２の内袋の付け変えをすることができる。
【０００９】
本発明は水着入れとして使用した場合、水着を第１の内袋に、また小間物を収納室に入れることができ、小間物に水分が付着したり、浸みたりすることがなく好都合である。
【００１０】
本発明は両内袋の各上端開口部が外袋の開口外周部と折返帯との間に挟まれているので、濡れた水着を第１の内袋に入れる際に水分が内・外袋の隙間から収納室内に入ることがなく、良好である。
【００１１】
また本発明は砂遊び用具入れとして使用した場合、外袋を振ることにより前記用具に付着した砂が第２の内袋の側面および底面の網目から収納室内に落下し、しかも収納室を開くことにより前記砂を直ちに排出することができ、外袋、内袋とも容易、迅速かつ確実にきれいにすることができる。
【考案を実施するための最良の形態】
【００１２】
外袋１としてナイロン等の合成樹脂製の手提げを形成する。この外袋１の底面１３の上方に間隔をおいてジッパー１６を周設する。
【００１３】
外袋１の上端開口部１０を図３で示すように内側へ二重に折り返して折返帯１１を形成し、さらに折返帯１１を逆Ｓ字状に折り返して止め、外袋１の開口外周部１２を形成する。折返帯１１に複数個のホック雌体１５ａ、１５ａ、１５ａ・・・を等配して取付ける。外袋１の開口外周部１２に前記各ホック雌体１５ａに対応するホック雄体１５ｂを取付ける。
【００１４】
防水布、具体的には合成樹脂により第１の内袋２を形成し、また合成樹脂製の網袋により第２の内袋３を形成する。
【００１５】
第１および第２の内袋２、３の高さを外袋１の高さよりも低く形成する。具体的には第１、２の内袋２、３を外袋１の底面１３からジッパー１６のやや上までの距離分、短くする。
【００１６】
第１および第２の内袋２、３の各開口端に取付けた各上端開口部２０、３０で、かつ前記各ホック雌体１５ａの対応位置に各透孔２２、３２を穿設する。
【００１７】
そして水着を収納する場合には第１の内袋２の上端開口部２０を外袋１の開口外周縁１２と折返帯１１との間に挟み込み、各ホック雄体１５ｂを各透孔２２に挿入し、各ホック雄体１５ｂに各ホック雌体１５ａを嵌着して第１の内袋２を外袋１内に吊下げる。
【００１８】
この結果、図４で示すように第１の内袋２の底面２１と外袋１の底面１３との間に収納室１４が形成され、この収納室１４はジッパー１６により開閉自在になる。
【００１９】
そしてジッパー１６を開き、収納室１４内に財布、手帳、サングラス等の小間物を入れ、ジッパー１６を閉じ、第１の内袋２内に水着、タオル等の水分を含んだ物品を入れる。
【００２０】
したがって前記小間物は第１の内袋２の底面２１により遮断され、濡れたり、浸みたりすることがなく、しかも上端開口部２０が折返帯１１に被着されているので、外袋１と第１の内袋２との間から収納室１４に水が入るおそれもない。
【００２１】
また砂遊び用具を収納する場合には、前記各ホック雄・雌体１５ｂ、１５ａの嵌着を解き、第１の内袋２を外袋１から取り出した状態にしておき、第２の内袋３の上端開口部３０を外袋１の開口外周部１２と折返帯１１との間に挟み込み、各ホック雄体１５ｂを各透孔３２に挿入し、各ホック雄体１５ｂに各ホック雌体１５ａを嵌着して第２の内袋３を外袋１内に吊り下げる。
【００２２】
この結果、図４で示すように第２の内袋３の底面３１と外袋１の底面１３との間に収納室１４が形成され、この収納室１４はジッパー１６により開閉自在になる。
【００２３】
そして砂遊び後の砂の付着した用具、例えばスコップ、熊手、バケツ等を第２の内袋３に入れる。
【００２４】
その後、例えば帰宅後、外袋１を数回振れば乾燥した砂は第２の内袋３の側面３３および底面３１の網目を通して収納室１４内に落下し、しかる後、ジッパー１６を開けて砂を排出する。
【００２５】
なお前記実施の形態では外袋１と第１、第２の内袋２、３との着脱手段としてホック、透孔を示したが、図５の面状テープ１５ａ′、１５ａ′・・・・・を折返帯１１の内面に等配して取付け、第１および第２の内袋２、３の対応位置に各面状テープ１５ａ′に着脱する面状テープ１５ｂ′を取付けてもよく、また前記実施の形態では外袋１として手提げを示したが、同構造であれば図６で示すように巾着等、他の袋状体でもよいことは勿論である。
【図面の簡単な説明】
【００２６】
【図１】本考案の一部を切欠いた分解斜視図である。
【図２】同上の使用状態を示す一部切欠き斜視図である。
【図３】同上の上端開口部を示す部分拡大断面図である。
【図４】同上の底部を示す部分拡大断面図である。
【図５】本考案の上端開口部の他の実施の形態を示す一部切欠き部分拡大断面図である。
【図６】本考案を巾着型にした一部切欠き斜視図である。
【符号の説明】
【００２７】
１−外袋
２−第１の内袋
３−第２の内袋
１０−上端開口部
１１−折返帯
１２−開口外周部
１３−外袋の底面
１４−収納室
２０−第１の内袋の上端開口部
２１−第１の内袋の底面
３０−第２の内袋の上端開口部
３１−第２の内袋の底面
【図１】
0003104240.tif 000003
【図２】
0003104240.tif 000004
【図３】
0003104240.tif 000005
【図４】
0003104240.tif 000006
【図５】
0003104240.tif 000007
【図６】
0003104240.tif 000008